(57)【要約】【課題】携帯端末に転送されたレシートデータを表示することが可能となる。【解決手段】登録締め手段によりレシートファイル２３１が生成される。電子レシートを発行する電子レシートボタン５０が指令されと、レシートファイル転送アプリＡ１が起動し、Ｗｉ−Ｆｉ第１アクセスポイント２０１を介しレシートファイル２３１が携帯端末１００へ転送される。携帯端末１００は、レシートファイル転送対応アプリＡ１１が起動されると転送されたレシートファイル２３１に格納されているレシートデータがディスプレイ１１０上に表示される。【選択図】図６
2014164563.tif 000002
【特許請求の範囲】
【請求項１】
無線ＬＡＮ通信手段を備え、この無線ＬＡＮ通信手段と同一仕様の無線ＬＡＮ通信手段を備えた携帯端末と無線ＬＡＮ第１アクセスポイントを介して交信可能な範囲に位置する商品販売データ処理装置とデータの送受信が可能な電子レシート処理システムにおいて、
前記商品販売データ処理装置は、
１商取引として販売される商品の登録締めを宣言する登録締め手段と、
電子レシートの発行を指令する電子レシート発行指令手段と、
前記登録締め手段によって生成されたシートデータをレシートファイルに格納させるレシートデータ格納手段と、
前記電子レシート発行指令手段により電子レシート発行が指令されると、インストールされているレシートファイル転送アプリケーションを起動させ、前記無線ＬＡＮ第１アクセスポイントを介して前記携帯端末にインストールされているレシートファイル転送対応アプリケーションを連動させ起動されると、前記携帯端末へ前記レシートファイルを転送するレシートファイル転送手段と、を備え、
前記携帯端末は、
所定の情報が表示されるディスプレイと、
インストールされている前記レシートファイル転送対応アプリケーションが起動されると、前記ディスプレイに前記商品販売データ処理装置から転送された前記レシートファイルに格納されている前記レシートデータを前記ディスプレイに表示させるレシートデータ表示手段と、
このレシートデータ表示手段により前記ディスプレイに表示された前記レシートデータを格納する前記レシートファイルを記憶部に記憶する記憶手段と、を備えたことを特徴とする電子レシート処理システム。
【請求項２】
無線ＬＡＮ通信手段を備え、この無線ＬＡＮ通信手段と同一仕様の無線ＬＡＮ通信手段を備えた携帯端末と無線ＬＡＮ第１アクセスポイントを介して、データの送受信が可能となる交信可能な範囲に位置する商品販売データ処理装置と、前記無線ＬＡＮ通信手段と同一仕様の無線ＬＡＮ対応プリンタに無線ＬＡＮ第２アクセスポイントを介して、データの送信が可能な前記携帯端末とからなる電子レシート処理システムにおいて、
前記携帯端末は、
所定の情報が表示されるディスプレイと、
前記商品販売データ処理装置から転送されたレシートデータが格納されているレシートファイルを記憶する記憶部と、
前記ディスプレイに当該レシートデータを表示させる表示手段と、
当該レシートデータに基づいてレシートをプリントするプリント指令手段と、
このプリント指令手段により当該レシートデータのプリントが指令されると、インストールされているプリントアプリを起動させ、前記Ｗｉ−Ｆｉ対応プリンタに前記無線ＬＡＮ第２アクセスポイントを介して当該レシートデータを送信する送信手段と、
前記Ｗｉ−Ｆｉ対応プリンタは、前記無線ＬＡＮ第２アクセスポイントを介して当該レシートデータを受信すると前記レシートデータに基づいてレシートを印字発行することを特徴とする電子レシート処理システム。
【請求項３】
無線ＬＡＮ通信手段を備え、この無線ＬＡＮ通信手段と同一仕様の無線ＬＡＮ通信手段を備えた携帯端末と無線ＬＡＮ第１アクセスポイントを介して、データの送受信が可能となる交信可能な範囲に位置する商品販売データ処理装置と、前記無線ＬＡＮ通信手段と同一仕様の無線ＬＡＮ対応プリンタに無線ＬＡＮ第２アクセスポイントを介して、データの送信が可能な前記携帯端末とからなる電子レシート処理システムにおいて、
前記携帯端末は、
所定の情報が表示されるディスプレイと、
前記商品販売データ処理装置から転送されたレシートデータが格納されているレシートファイルを記憶する記憶部と、
前記ディスプレイに表示されているファイルのアイコンがタップされ各種レシートファイルのアイコンを表示させる表示手段と、
前記ディスプレイに表示された前記各種レシートファイルから当該レシートファイルのアイコンがタップされた場合、当該レシートファイルの当該レシートデータを表示させる表示手段と、
前記ディスプレイに表示されているプリンタのアイコンがタップされるとプリントのアイコンを表示させる表示手段と、
前記ディスプレイに表示された前記プリントのアイコンがタップされるとインストールされているプリントアプリを起動させ前記Ｗｉ−Ｆｉ対応プリンタに前記無線ＬＡＮ第２アクセスポイントを介して当該レシートデータを送信する送信手段と、
前記Ｗｉ−Ｆｉ対応プリンタは、前記無線ＬＡＮ第２アクセスポイントを介して当該レシートデータを受信すると前記レシートデータに基づいてレシートを印字発行することを特徴とする電子レシート処理システム。
【請求項４】
前記無線ＬＡＮ通信部は、Ｗｉ−Ｆｉ通信部であることを特徴とする請求項１、２または３記載の電子レシート処理システム。
【発明の詳細な説明】
【技術分野】
【０００１】
本発明の実施形態は、電子レシート処理システムに関する。
【背景技術】
【０００２】
従来、ＰＯＳ（Point Of Sales：販売時点データ管理）端末等の商品販売データ処理装置から印字発行されるレシートは、家計簿をつける習慣がるある一部のユーザにとっては必要だが、そうでないユーザにとっては不要なものであり、大抵は捨てられていた。
【０００３】
また、家計簿をつける習慣があるユーザにとっても家計簿を付けた後は不要となるため捨てられる場合が多かった。このように、商品販売データ処理装置によりレシート用紙に印字されて発行されるレシートの大部分は、後でゴミとして処分されており、ゴミを減らすことが望まれていた。
【０００４】
そこで、商品販売データ処理装置をインターネットに接続するとともに、この商品販売データ処理装置に電子メールアドレスを入力する入力手段を設け、この入力手段により電子メールアドレスが入力されたユーザに対しては、レシートに印字するデータを電子メール用データに編集して、その電子メールアドレス宛の電子メールとしてインターネット上のメールサーバに送信するように構成することで、電子メールアドレスを有するユーザに対して商取引の取引データをレシートではなくインターネットを利用した電子メールとして提供するものが知られている（たとえば、特許文献１参照）。
【先行技術文献】
【特許文献】
【０００５】
【特許文献１】特開平１０-１７７６８４号公報
【発明の概要】
【発明が解決しようとする課題】
【０００６】
しかしながら、特許文献1の記載の商品販売登録データ装置はユーザが店側に電子メールアドレスを知らせなければならないので、ユーザが後で、不要なメールが送られてこないか不安に感じ、利用しない恐れがあった。
【０００７】
また、商取引の時点ではレシートが不要と思っても後で必要となった場合に対応できない問題がった。
【０００８】
本発明の実施形態は、商品販売取引のレシートが電子メールを介することなく電子レシートとして受け取ることが可能であり、受け取った電子レシートをレシート用紙に印字発行することが可能な電子レシート処理システムを提供しようとするものである。
【課題を解決するための手段】
【０００９】
本発明の実施形態に係る電子レシート処理システムは、無線ＬＡＮ通信手段を備え、この無線ＬＡＮ通信手段と同一仕様の無線ＬＡＮ通信手段を備えた携帯端末と無線ＬＡＮ第１アクセスポイントを介して、交信可能な範囲に位置する商品販売データ処理装置とからなり、前記商品販売データ処理装置は、１取引として販売される商品の登録締めを宣言する登録締め手段と、電子レシートの発行を指令する電子レシート発行指令手段と、前記登録締め手段によって生成されたシートデータをレシートファイルに格納させるレシートデータ格納手段と、前記電子レシート発行指令手段により電子レシート発行が指令されると、インストールされているレシートファイル転送アプリケーションを起動させ、前記無線ＬＡＮ第１アクセスポイントを介して前記携帯端末にインストールされているレシートファイル転送対応アプリケーションを連動して起動させと、前記レシートファイルを前記携帯端末へ転送するレシートファイル転送手段と、を備え、前記携帯端末は、所定の情報が表示されるディスプレイと、インストールされている前記レシートファイル転送対応アプリケーションが起動されると、前記ディスプレイに前記商品販売データ処理装置から転送された前記レシートファイルに格納されている前記レシートデータを前記ディスプレイに表示させるレシートデータ表示手段と、このレシートデータ表示手段により前記ディスプレイに表示された前記レシートデータを格納する前記レシートファイルを記憶部に記憶する記憶手段と、を備えたことを特徴とする。
【図面の簡単な説明】
【００１０】
【図１】本発明の一実施形態に係る電子レシート処理システムの概略を示す模式図。
【図２】同実施の形態に係るＰＯＳ端末の要部構成を示す一例のブロック図。
【図３】同実施の形態に係るレシートファイルのデータ構成を示す一例の模式図。
【図４】同実施の形態に係る携帯端末の要部構成を示す一例のブロック図。
【図５】同実施の形態に係るＰＯＳ端末の客面表示部に表示される画面の一例を示す図。
【図６】同実施の形態に係るＰＯＳ端末のＣＰＵが実行する商品販売データ処理の主要なステップを示すフローチャート。
【図７】同実施の形態に係る携帯端末のＣＰＵが実行する電子レシート処理の主要なステップを示すフローチャート。
【図８】同実施の形態に係る携帯端末のＣＰＵがＷｉ−Ｆｉ対応プリンタに指令するレシートプリント処理の主要なステップを示すフローチャート。
【発明を実施するための形態】
【００１１】
以下、本発明の一実施形態について図面を参照して説明する。
【００１２】
なお、本実施形態は、商品販売データ処理装置として店舗において設置されている電子レシート処理システムのＰＯＳ端末とユーザが携帯する携帯端末のそれぞれに無線ＬＡＮ（Local Area Network）機能であるＷｉ―Ｆｉ(Wireless Fidelity)機能を搭載しＷｉ−Ｆｉ第１アクセスポイントを介し、交信可能なエリアに位置するＰＯＳ端末と携帯端末の間で無線通信が可能になる。
【００１３】
ＰＯＳ端末により生成された１取引のレシートデータを格納するレシートファイルを携帯端末に転送すると前記レシートファイルに格納されたレシートデータを携帯端末のディスプレイ上に表示することが可能となる
また、Ｗｉ−Ｆｉ機能を搭載した携帯端末の前記レシートデータをＷｉ−Ｆｉ第２アクセスポイントを介しＷｉ−Ｆｉ対応プリンタに無線通信することにより前記レシートデータに基づいてレシートをプリントすることを可能にした電子レシート処理システムに本発明を適用した場合である。
【００１４】
因みに、Ｗｉ−Ｆｉ機能を利用した場合は、電話回線網等の電話施設を介して通信を行わないので通信料金がかからず、また通信相手を特定する際にも電話番号を使用しないのでユーザのプライバシーを保つことができる。
【００１５】
図１は、本発明の一実施形態における電子レシート処理システム１１及びこれを含む広域ネットワーク網の概略を示すシステム模式図である。
【００１６】
ＰＯＳ端末１２は、たとえばスーパーマーケット内に配設されたＬＡＮなどのネットワーク１３を介して、バックヤードに設置されているストアコンピュータ１４に接続されている。
【００１７】
ストアコンピュータ１４は、ネットワーク１３に接続されたルータ１５を介して、インターネット網１６に接続することが可能である。
【００１８】
インターネット網１６には、ウェブサーバ１７が接続することが可能である。
【００１９】
ＰＯＳ端末１２には、無線ＬＡＮ通信部であるＷｉ−Ｆｉ通信部３４（図２参照）が搭載されている。
【００２０】
このＷｉ−Ｆｉ通信部３４には、ユーザが各自携帯している携帯端末１００に搭載されているＷｉ−Ｆｉ通信部１０４（図３参照）と無線ＬＡＮルータ（以下、Ｗｉ−Ｆｉ第１アクセスポイントという）２０１を介して無線通信が実行される。
【００２１】
また、携帯端末１００のＷｉ−Ｆｉ通信部１０４（図３参照）と、無線ＬＡＮルータ（以下、Ｗｉ−Ｆｉ第２アクセスポイントという）３０１を介してＷｉ−Ｆｉ対応プリンタ４０１と無線通信が実行される。
【００２２】
なお、本実施形態の電子レシート処理システム１１においてＰＯＳ端末１２と携帯端末１００のＷｉ−Ｆｉ通信部３４，１０７のＷｉ−Ｆｉ接続のセキュリティーは、認証方式と暗号の組み合わせで通信中のデータが保護される。たとえば、ＳＳＩＤ(Service Set ID)および暗号キーを設定することでセキュリティーが保護される。
【００２３】
図２は、本実施の形態におけるＰＯＳ端末１２の要部構成を示すブロック図である。
【００２４】
図２に示すようにＰＯＳ端末１２は、制御部本体を構成するＣＰＵ（Central Processing Unit）２１を備えている。そして、このＣＰＵ２１には、ＲＯＭ（Read Only Memory）２２、ＲＡＭ（Random Access Memory）２３、時計部２４、通信コントローラ２５、キーボードコントローラ２６、ＨＤＤ（Hard Disk Drive）コントローラ２７、表示コントローラ２８、表示コントローラ２９、プリンタコントローラ３０、スキャナコントローラ３１、カードリーダコントローラ３２、Ｉ／Ｏ（Input・Output）ポート３３、Ｗｉ−Ｆｉ通信部３４等の各構成要素を、アドレスバス、データバスなどのバスライン３５により電気的に接続している。
【００２５】
そして、前記各コントローラ２５、２６、２７、２８、２９、３０、３１、３２には、キーボード３６、ＨＤＤ３７、前面表示部３８、客面表示部３９、プリンタ４０、スキャナ４１、カードリーダ４２を接続している。
【００２６】
また、前記Ｉ／Ｏポート３３には、たとえば、預／現計キーなどの締めキーの登録締め手段を使用した場合に、Ｉ／Ｏポート３３から出力される駆動信号によって開放動作するドロワ４３が接続されている。
【００２７】
無線ＬＡＮ通信部であるＷｉ−Ｆｉ通信部３４は、ＰＯＳ端末１２で生成されたレシートデータを格納したレシートファイル２３１（図３参照）等がＷｉ−Ｆｉ第１アクセスポイント２０１および携帯端末１００のＷｉ−Ｆｉ通信部１０７を介して携帯端末１００に転送させることが可能となる。
【００２８】
ＲＯＭ２２には、主記憶部としてＣＰＵ２１が実行するＯＳ（Operating System）、コンピュータプログラム等の各種プログラム等の固定的データを予め格納記憶されている。
【００２９】
ＲＡＭ２３には、ＣＰＵ２１が商品登録及び登録締め処理等を実行するための各種可変的データを記憶する際に一時的にデータやプログラムを記憶するための各種メモリエリアが設けられている。
【００３０】
また、レシートデータに基づいて図３に示す項目内容のレシートファイル２３１が形成されている。
【００３１】
このレシートファイル２３１には、店名、取引日付および時刻、ＰＯＳ端末Ｎｏ、担当者コード、取引番号、全販売商品の商品コード、商品名、単価、販売点数、販売金額、小計金額、外税額、合計金額、預かり金額、釣銭額およびレシート区分等が格納されている。
【００３２】
時計部２４には、現在の日付、日時を計時されるようになっている。
【００３３】
通信コントローラ２５は、有線または無線の伝送路を介してストアコンピュータ１３との間でデータ通信を制御する。
【００３４】
キーボードコントローラ２６は、キーボード３６から操作されたキーに対応するキー信号を取り込みＣＰＵ２１に入力させる。このキーボードコントローラ２６には、テンキー、ＰＬＵ（Price Look Up）キー、小計キー、１取引の代金を決済する締めを宣言する登録締め手段である預／現計キー等が配設されたＰＯＳ端末専用のキーボード３６が接続されている。
【００３５】
ＨＤＤコントローラ２７は、ＣＰＵ２１などからの指令に応じてＨＤＤ３７の所定領域に記憶格納されている商品データファイル２７１、レシートファイル転送アプリケーションＡ１等を含む各種ファイルおよび各種アプリケーションなどを読み出す、また、前記バスライン３５から受け取った各種ファイルおよび各種アプリケーションなどをＨＤＤ３７の所定領域に記憶格納するために、前記ＨＤＤ３７に対するデータなどの読み書きの制御を行う。
【００３６】
なお、ＰＯＳ端末の起動時に、商品データファイル２７１、レシートファイル転送アプリケーションＡ１等を含む各種のプログラムおよび各種ファイルの全部又は一部をＲＡＭ２３にコピーされ、これらのプログラムの記述内容に従った処理を実行する。
【００３７】
表示コントローラ２８は、前面表示部３８の画面表示を駆動制御するもので、前面表示部３８は、当該ＰＯＳ端末１２のオペレータであるキャッシャに対して販売商品の商品名、単価、小計金額、合計金額、預かり金額等を表示するものである。
【００３８】
表示コントローラ２９は、客面表示部３９の画面表示を駆動制御するもので、客面表示部３９は、商品を購入した会員に対して販売商品の商品名、単価、小計金額、合計金額、預かり金額等を表示するものである。この表示コントローラ２９は、客面表示部２９の表示部上に設けられているタッチパネルセンサーを制御しタッチ位置に対応した信号を取り込むタッチパネルコントローラ機能を有する。また、客面表示部３９の画面には、図５に示すように、電子レシートを指令する電子レシートボタン５０を案内とともに表示するようになっている。
【００３９】
プリンタコントローラ３０は、プリンタ４０の駆動を制御してＣＰＵ２１から供給される印字データをもとに、レシート用紙に１取引の取引データのレシートを印字発行するものである。プリンタ４０とＣＰＵ２１とによって、本実施の形態のレシート印字発行手段が構成されている。
【００４０】
スキャナコントローラ３１は、スキャナ４１で読み取られた商品コードの信号を取り込みＣＰＵ２１に入力するものである。スキャナ４１は、商品に付けられたバーコードを読み取るものである。各商品には、その商品の商品データである固有の商品コードを示すバーコードがつけられている。ここに、スキャナ４１とＣＰＵ２１は、商品データ入力手段として機能する。なお商品コードは、ＰＬＵコードとしてキーボード３６のテンキーとＰＬＵキーにより入力することも可能となる。
【００４１】
カードリーダコントローラ３２は、カードリーダ４２により会員カードのカードデータの読み取られたデータ信号、たとえば、会員コードを取り込みＣＰＵ２１に入力する。カードリーダ４２は、前記会員カードに記録された会員コードを含むカードデータを読取るものである。
【００４２】
図４は、携帯端末１００のハードウェアの要部構成を示すブロック図である。
【００４３】
図４に示すように、携帯端末１００は、たとえば、スマートフォンと呼ばれる。このスマートフォンは、携帯電話と携帯情報端末を融合させた高機能の携帯電話機である。携帯端末１００は、携帯電話としての通話機能以外に、たとえばＷｉ−Ｆｉ方式（IEEE(Institute of Electrical and Electronic Engineers)802.11x）等による無線通信により、Ｗｉ−Ｆｉ第１アクセスポイント２０１を介してＰＯＳ端末１２と通信を行うＷｉ−Ｆｉ通信機能を有する。
【００４４】
なお、携帯端末１００は、ネットワークに接続してＰＯＳ端末１２とデータを授受する通信機能を少なくとも有する通信端末であればよく、携帯電話機能は必須ではない。したがって、携帯端末１００は、たとえば、ネットワーク機能を有する。電子書籍リーダのようなタブレット端末でもよい。
【００４５】
図４に示すように、主制御部としてＣＰＵ１０１を備えている。このＣＰＵ１０１に、ＲＯＭ１０２，ＲＡＭ１０３，記憶部１０４、入力部１０５、音声入出力部１０６、Ｗｉ−Ｆｉ通信部１０７、電話回線網通信部１０８、タッチスクリーン１０９、ディスプレイ１１０、位置検出部１１１、撮影部１１２等をバスライン１１３で接続している。
【００４６】
ＲＯＭ１０２には、予めＯＳなどの基本プログラムや各種データが格納されている。ＲＡＭ１０３には、ＲＯＭ１０２や記憶部１０４に格納されているアプリケーションプログラムや各種データがロードされる。また、ＲＡＭ１０３には、ＣＰＵ１０１が各種の処理を実行する上において必要なデータなども適宜記憶される。
【００４７】
記憶部１０４は、電源を切っても内容が保存される不揮発性の半導体メモリ、たとえば、フラッシュメモリやリムーバブルメディアなどにより構成されている。
【００４８】
この記憶部１０４には、Ｗｅｂ上に公開されている各種コンテンツを閲覧するためのＷｅｂブラウザの他、レシートデータが格納されたレシートファイル２３１を受取るためのレシートファイル転送対応アプリＡ１１やレシートデータが格納されたレシートファイル２３１をＷｉ−Ｆｉ対応プリンタ４０１においてプリントするプリントアプリＡ１２を少なくとも予めインストールされている。
【００４９】
また、レシートファイル転送対応アプリＡ１１は、ＰＯＳ端末１２にインストールされているレシートファイル転送アプリケーションＡ１が起動されると、携帯端末１００に起動コマンドを指令し連動して起動されるようになっている。
【００５０】
また、ＰＯＳ端末１２から転送されたレシートファイル２３１がダウンロードされ記憶部１０４のレシートファイル保存領域Ｂ１１に保存されるようになっている。
【００５１】
入力部は１０５、キーボード、操作ボタン等により構成され、ユーザの操作により入力を受付けて、ＣＰＵ１０１に供給する。
【００５２】
音声出力部１０６は、スピーカ、マイクロホン等により構成され、通話のための音声を入出力する。
【００５３】
Ｗｉ−Ｆｉ通信部１０７は、ＣＰＵ１０１からの情報をＩＥＥＥ８０２．１１a,１１ｂ，１１ｇ，により規定される符号化方式により符号化する。
【００５４】
また、Ｗｉ−Ｆｉ通信部１０７は、符号化信号の送信処理を施し外部に送信するとともに、無線信号を受信し、この受信信号に受信処理を施す。
【００５５】
また、Ｗｉ−Ｆｉ通信部１０７は、受信処理を施した受信信号をＩＥＥＥ８０２．１１a、１１ｂ、１１ｇ、にしたがった符号化方式により複合化しＣＰＵ１０１へ出力する。
【００５６】
電話回線網通信部１０８は、移動体電話通信網を介して他の装置と音声通信、または、パケット通信を行う。
【００５７】
タッチスクリーン１０９は、ディスプレイ１１０と位置検出部１１１とを有し、各種の表示と、指等をタップすることによる操作入力とが可能になっている。
【００５８】
ディスプレイ１１０は、たとえば、液晶パネルや有機ＥＬ（Electro Luminescence）パネルなどのデバイスで構成され、ＣＰＵ１０１の制御に従って、ＰＯＳ端末１２やウェブサーバ１７から提供されるデータやユーザの操作に利用されるＧＵＩ（Graphical User Interface）などを表示する。
【００５９】
タッチスクリーン１０９は、以上のようなディスプレイ１１０と位置検出部１１１とが一体的になっており、ディスプレイ１１０において画像を表示し、位置検出部１１１において、ディスプレイ１１０に表示された画像に対する外部の操作入力（タップ）を受け付けることができる。
【００６０】
位置検出部１１１が出力する位置信号は、ＣＰＵ１０１に供給され、ＣＰＵ１０１では、位置検出部１１１からの位置信号に基づき、どのような操作入力があったかが認識され、その操作入力に応じて、各種の処理が行われる。
【００６１】
撮像部１１２は、ＣＣＤ（Charge Coupled Device）やＣＭＯＳ（Complementary Metal Oxide Semiconductor）センサ等の撮像素子などにより構成される。撮影部１１２は、被写体を撮影し、撮影した被写体の画像データをＣＰＵ１０１に供給する。
【００６２】
携帯端末１００は、Ｗｉ−Ｆｉ第１アクセスポイント２０１を介してＰＯＳ端末１２と、無線通信を行いＰＯＳ端末１２からの情報を受取ることが可能になっている。
【００６３】
携帯端末１００は、ＰＯＳ端末１２のＷｉ−Ｆｉ通信部３４により、レシートファイル２３１の転送処理する機能を有している。
【００６４】
すなわち携帯端末１００は、ＰＯＳ端末１２からレシートデータが格納されているレシートファイル２３１をダウンロードすることによりレシートファイル２３１に格納されているレシートデータをディスプレイ１１０上に表示させて閲覧が可能となる。
【００６５】
図６は、本実施の形態に係るＰＯＳ端末１２のＣＰＵ２１が実行する１商取引の商品販売データ処理のステップを示すフローチャートである。
【００６６】
ＣＰＵ２１は、ユーザの購入する商品が登録されるのを待機する（ステップＳＴ１１）。
【００６７】
そして、キーボード３６の置数キーと乗算キーとにより乗数が入力され、続いてスキャナ４１により商品コードのバーコードがスキャニング入力されると（ステップＳＴ１１のＹＥＳ）、ＣＰＵ２１は、商品販売データ登録処理を実行する（ステップＳＴ１２）。
【００６８】
この処理は、ユーザが購入した商品の商品コードに対応してプリセットされている単価を商品データファイル３７１から読出し、この単価に販売点数を乗算して販売金額を算出する。
【００６９】
そして、この販売点数及び販売金額を当該商品コードが設定されているＲＡＭ２３の登録商品エリアに登録する処理である。
【００７０】
ここで登録処理された商品の商品コード、商品名、単価、販売点数及び販売金額等からなる登録商品明細データをＲＡＭ２３の取引データメモリに登録順に格納する。
【００７１】
次に、ＣＰＵ２１は、図５に示すように、客面表示部３９に電子レシートボタン５０とその案内について表示させる（ステップＳＴ１３）。
【００７２】
ＣＰＵ２１は、１商取引の登録締めが宣言されるのを待機する（ステップＳＴ１４）。そして、登録締めが宣言されていない場合には（ステップＳＴ１４のＮＯ）、ステップＳＴ１１に戻り、次の商品の登録を待機する。
【００７３】
ＣＰＵ２１は、たとえば、預／現計キーによる締めキーの入力を検知すると（ステップＳＴ１４のＹＥＳ）、１商取引の登録締めが宣言されたので、登録締め処理を実行する（ステップＳＴ１５）。
【００７４】
この処理は、登録商品の合計や釣銭額を演算し、店面表示部３８および客面表示部３９に表示させる処理を行い、当該商取引の小計金額、税額、合計金額、預かり金額、釣銭額等からなる決済明細データをＲＡＭ２３の取引データメモリに格納する。
【００７５】
その後、ＣＰＵ２１は、ＲＡＭ２３の取引データメモリに格納されている登録商品明細データおよび決済明細データや端末番号、責任者コード、取引番号等に基づいて図３に示す項目内容のレシートファイル２３１に格納するレシートデータが生成される（ステップＳＴ１６）。
【００７６】
次に、ＣＰＵ２１は、電子レシートボタン５０がタッチ操作（ＯＮ）されているか否かを判定する（ステップＳＴ１７）。
【００７７】
ＣＰＵ２１は、電子レシートボタン５０がタッチ操作され電子レシート発行が指令されたならば（ステップＳＴ１７のＹＥＳ）、インストールされているレシートファイル転送アプリＡ１が起動される（ステップＳＴ１８）。
【００７８】
次に、ＣＰＵ２１は、電子レシート発行対象の取引であることを示すメッセージ「電子レシート取引」を客面表示部に表示させる（ステップＳＴ１９）。
【００７９】
そして、ＰＯＳ端末１２のＷｉ−Ｆｉ通信部３４と携帯端末１００のＷｉ−Ｆｉ通信部１０７とがＷｉ−Ｆｉ第１アクセスポイント２０１を介して接続が確立すると（ステップＳＴ２０のＹＥＳ）、ＣＰＵ２１は、レシートファイル転送アプリＡ１と連動する携帯端末１００にインストールされているレシートファイル転送対応アプリＡ１を起動させる起動コマンドを指令する（ステップＳＴ２１）。
【００８０】
さらに、ＣＰＵ２１は、携帯端末１００に電子レシート発行のレシートデーが格納されたレシートファイル２３１を転送する（ステップＳＴ２２）。
【００８１】
その後、ＣＰＵ２１は、Ｉ／Ｏポート３３から駆動信号を出力してドロワ４３を自動開放させて（ステップＳＴ２３）、この１商取引の商品販売データ処理を終了する。        
一方、ＣＰＵ２１は、電子レシートボタン５０がタッチ操作されていない場合には（ステップＳＴ１７のＮＯ）、電子レシート発行対象の取引でないので、レシートデータがプリンタコントローラ３０を介してプリンタ４０へ出力し、レシート用紙に印字されたレシートが発行される（ステップＳＴ２４）。
【００８２】
その後、ＣＰＵ２１は、Ｉ／Ｏポート３３から駆動信号を出力してドロワ４３を自動開放させる（ステップＳＴ２３）。そして、この１商取引の商品販売データ処理を終了する。        
図７は、本実施の形態に係る携帯端末１００のＣＰＵ１０１は、ＰＯＳ端末１２から転送されたレシートファイル２３１を受信しインストールされているレシートファイル転送対応アプリＡ１１に基づいて実行されるレシート処理のステップを示すフローチャートである。
【００８３】
ＣＰＵ１０１は、携帯端末１００のＷｉ−Ｆｉ通信部１０７とＷｉ−Ｆｉ第１アクセスポイント２０１を介してＰＯＳ端末１２のＷｉ−Ｆｉ通信部３４と無線通信が接続されたことを確認する（ステップＳＴ１１１）。
【００８４】
ＰＯＳ端末１２と携帯端末１００との互いのＷｉ−Ｆｉ通信部３４、１０７がＷｉ−Ｆｉ第１アクセスポイント２０１介して通信回線が接続されると（ステップＳＴ１１１のＹＥＳ）、ＰＯＳ端末１２のレシートファイル転送アプリＡ１に連動されてレシートファイル転送対応アプリＡ１１が起動される（ステップＳＴ１１２）。
【００８５】
次に、ＣＰＵ１０１は、転送されたレシートファイル２３１をダウンロードさせる（ステップＳＴ１１３）。
【００８６】
ＣＰＵ１０１は、ＰＯＳ端末１２からレシートファイル２３１が転送されると、ディスプレイ１１０に「レシートファイル転送」のメッセージを表示させる（ステップＳＴ１１４）。
【００８７】
その後、ＣＰＵ１０１は、「レシートファイル転送」の「確認」を待機する（ステップＳＴ１１５）。
【００８８】
そして、「確認」アイコンがタップされると（ステップＳＴ１１５のＹＥＳ）、ＣＰＵ１０１は、ディスプレイ１１０上の画面にレシートファイル２３１に格納されたレシートデータを表示させる（ステップＳＴ１１６）。
【００８９】
次に、ＣＰＵ１０１は、レシートファイル２３１を保存するか否かを判定する（ステップＳＴ１１７）。
【００９０】
ＣＰＵ１０１は、「保存」アイコンＯＮがタップされると（ステップＳＴ１１７のＹＥＳ）、ＣＰＵ１０１は、ＲＡＭ１０３に一時記憶されたレシートファイル２３１を記憶部１０４のレシートファイル記録領域Ｂ１に保存する（ステップＳＴ１１８）。
【００９１】
そして、（ステップＳＴ２００）、ＣＰＵ１０１は、このレシートファイル転送対応アプリＡ１１を終了させる（ステップＳＴ１１９）。
【００９２】
一方、ステップＳＴ１１８にてレシートファイル２３１を「保存」アイコンＯＦＦがタップされた場合には（ステップＳＴ１１７のＮＯ）、ＣＰＵ１０１は、このレシートファイル転送対応アプリＡ１１を終了させる（ステップＳＴ１１９）。
【００９３】
図８は、本実施の形態に係る携帯端末１００のＣＰＵ１０１は、ＰＯＳ端末１２から転送され記憶部１０４に保存されたレシートファイル２３１に基づきレシート印字発行を実行するＷｉ−Ｆｉ対応プリンタ４０１によるレシートプリント処理のステップを示すフローチャートである。
【００９４】
先ず、携帯端末１００の無線ＬＡＮ通信部であるＷｉ−Ｆｉ通信部１０７とＷｉ−Ｆｉ第２アクセスポイント３０１を介してＷｉ−Ｆｉ対応プリンタ４０１と無線通信の接続を確立させる（ステップＳＴ２１１のＹＥＳ）。
【００９５】
ＣＰＵ１０１は、ディスプレイ１１０上の「ファイル」のアイコンがタップされると（ステップＳＴ２１２）、「レシートファイル」等のアイコンを表示させる（ステップＳＴ２１３）。
【００９６】
次に、ＣＰＵ１０１は、ディスプレイ１１０上に「レシートファイル」のアイコンがタップされると（ステップＳＴ２１４）、「レシートファイル」のレシートデータを表示させる（ステップＳＴ２１５）。
【００９７】
次に、ＣＰＵ１０１は、ディスプレイ１１０上の「プリンタ」アイコンがタップされると（ステップＳＴ２１６）、ＣＰＵ１０１は、プリントアプリＡ１２を起動させる（ステップＳＴ２１７）。
【００９８】
ＣＰＵ１０１は、「プリント」アイコンのＯＮがタップされると（ステップＳＴ２１８）、Ｗｉ−Ｆｉ対応プリンタ４０１がレシートファイル２３１に格納されているレシートデータに基づいてレシート印字発行させる（ステップＳＴ２１９）。
【００９９】
以上により、携帯端末１００のＣＰＵ１０１は、レシートファイル２３１に格納されているレシートデータに基づいてレシートが印字発行され、レシートプリント処理が終了される。
【０１００】
なお、本明細書に記述されたＷｉ−Ｆｉは、Ｗｉ−ＦｉＡｌｌｉａｎｃｅの登録商標である。
【０１０１】
このように本実施の形態によれば、ＰＯＳ端末１２と携帯端末１００の簡単な操作によりレシートを利用することによりレシート印字を節約することで、コスト削減と環境保護に貢献する。すなわち、紙にて印字発行されるレシートの無駄を極力減らすことが可能となり紙資源の省力化につながる。
【０１０２】
また、ユーザが携帯端末１００により電子レシートを利用することでエコポイントを付与されるようにした場合には、積極的に電子レシートを利用することにより紙資源の省力化につながる。
【０１０３】
また、商取引決済を電子レシートで受け取ることが可能な携帯端末１００において、携帯端末１００の記憶部１０４にレシートファイル２３１を保存することで、何時でも自宅のＷｉ−Ｆｉ対応プリンタ４０１により簡単にレシート用紙にレシート印字が行われる。レシートを利用して家計簿を生成することが可能となる。
【０１０４】
また、自宅にＷｉ−Ｆｉ対応プリンタ４０１が存在しなくても、コンビニエンスストアに設置されているＷｉ−Ｆｉ対応のコピー機でも同様にレシートを発行することが可能となる。
【０１０５】
なお、この発明は前記実施の形態に限定されるものではなく、実施の段階ではその要旨を逸脱しない範囲で構成要素を変形して具体化できる。
【０１０６】
本実施の形態において、携帯端末としては、スマートフォンおよびタブレット端末などにより利用することが可能である。
【０１０７】
本発明は前記実施の形態に開示されている複数の構成要素を適宜な組み合わせにより種々の発明を形成できる。たとえば、実施の形態に示される全構成要素から幾つかの構成要素を削除してもよい。さらに、異なる実施形態にわたる構成要素を組み合わせてもよい。
【符号の説明】
【０１０８】
１１…電子レシート処理システム、１２…ＰＯＳ端末、１４…ストアコンピュータ、２１、１０１…ＣＰＵ、２２，１０２…ＲＯＭ、２３，１０３…ＲＡＭ、３４，１０７…Ｗｉ−Ｆｉ通信部、３６…キーボード、３７…前面表示部、３８…客面表示部、３９…プリンタ、４０…スキャナ、１００…携帯端末、１０４…ディスプレイ、１０５…入力部、１０７…入力部、２０１…Ｗｉ−Ｆｉ第１アクセスポイント、３０１…Ｗｉ−Ｆｉ第２アクセスポイント、４０１…Ｗｉ−Ｆｉ対応プリンタ、Ａ１…レシートファイル転送アプリケーション、Ａ１１…レシートファイル転送対応アプリケーション、Ａ１２…プリントアプリケーション、Ｂ１１…レシートファイル保存領域。
【図１】
2014164563.tif 000003
【図２】
2014164563.tif 000004
【図３】
2014164563.tif 000005
【図４】
2014164563.tif 000006
【図５】
2014164563.tif 000007
【図６】
2014164563.tif 000008
【図７】
2014164563.tif 000009
【図８】
2014164563.tif 000010